(57)【要約】      （修正有）【課題】ナット又はボルトを締め付ける際に、小さなナットから大きいナット又はボルトの頭を一瞬で掴み締め付けたり、又は緩めたりすることができるようなモンキーレンチを提供する。【解決手段】ワンタッチモンキーレンチの孔の中に、丸棒を横長にして、真ん中より切断して、上部に半円棒６と下部に半円棒３を有し、下部の半円棒３に一定の間隔を有した凸部４と凹部５に調整ネジ１４を有し、上部の半円棒６には、中心当りに平たい球を有し、平たい球の側面に凸起部７、弓なり８の下部に丸棒、スプリングを有した半円棒６で、この半円棒６がフリーで可動し、フリーである為に、小さなナット、又はボルトの大きいものでも、一瞬で締め付け、又は緩めることができ、微調整も調整ネジによって締め付け、緩めることができる工具で、上部の半円棒と下部の半円棒はロックして、一体になりナット、ボルトの頭を掴むことができるようにした。【選択図】図１
2009023080.tif 000002
【特許請求の範囲】
【請求項１】
平たい球（１）を、直角にカットし、その側面に球の上部に長方形を乗せた形をした孔（２）を有し、上部と直進、その孔（２）の中に丸棒を横長にして挿入し、中心より切断、下部の半円棒（３）には一定の間隔で、凸部（４）と凹部（５）を有し、上部の半円棒（６）には、平たい球を直角にカットを中心当りに有し、平たい球（１）の両側面に、凸起部（７）を設け、その中心に、弓なり（８）を設け、下部に丸棒（９）、スプリング（１０）を有した、下部の半円棒（３）には復数の孔（１１）を有した。
下部の半円棒（３）に、一定の間隔を有した凸部（４）と凹部（５）の下部に、調整ネジ（１４）を有した、ワンタッチモンキーレンチである。
【請求項２】
凸起部（７）の両側面に、弓なり（８）の下部に、凸部（１２）を設け、下部の半円棒（３）に、溝（１３）を復数を有したもの。
【発明の詳細な説明】
【発明の詳細な説明】
【産業上の利用分野】
【０００１】このワンタッチモンキーレンチは、ネジの頭が大小でも一瞬で、ネジの頭をワンタッチで掴み締め付けることができます。
2009023080.tif 000003
で、微妙な調整ネジで、ネジの頭を掴むことのできる便利な、ワンタッチモンキーレンチで、産業上必要な工具である。
【背景技術】
【０００２】今までのモンキーレンチは、ネジの頭が大小の場合など調整ネジを何度も回さなければネジを締めること、ネジを緩めるにしても、かなり調整ネジを回わさなければモンキーレンチの役目をはたさなかった。
又、大小のネジの頭を、一瞬に掴むことなどできませんでした。
【発明が解決しようとする課題】
【０００３】本発明は、ワンタッチモンキーレンチは、ナット、ボルトの頭が大、小でも一瞬のうちに掴んで、締め付けること、又は緩めることが簡単にでき、しかも調整ネジを使用して微妙な調整もでき、しかも片手で使用できる、理想のワンタッチモンキーレンチである。
【課題を解決するための手段】
【０００４】上記の目的を達成する為に、ワンタッチモンキーレンチの柄の先端には、平たい球（１）を、直角にカットし、その側面に球の上部に長方形を乗せた形をした孔（２）を有し、上部と直進、その孔（２）の中に丸棒を横長にして挿入し、中心より切断、下部の半円棒（３）には一定の間隔で、凸部（４）と凹部（５）を有し、上部の半円棒（６）には、平たい球を直角にカットを中心当りに有し、平たい球（１）の両側面に、凸起部（７）を設け、その中心に、弓なり（８）を設け、下部に丸棒（９）、スプリング（１０）を有した、下部の半円棒（３）には復数の孔（１１）を有した。
下部の半円棒（３）に、一定の間隔を有した凸部（４）と凹部（５）の下部に、調整ネジ（１４）を有したワンタッチモンキーレンチである。
【発明を実施するための最良の形態】
【０００５】以下の本発明の実施の形態について説明する。
ワンタッチモンキーレンチの柄の先端に、平たい球（１）を直角にカットし、その側面には、球の上部に長方形を乗せた形をした孔（２）を有し、上部と直進、その孔（２）の中に丸棒を横長にして、挿入し、中心より切断、下部の半円棒（３）には一定の間隔で、凸部（４）と凹部（５）を有し、上部の半円棒（６）には、平たい球を直角にカットを中心当り有し平たい球（１）の両側面に、凸起部（７）を設け、その中心に、弓なり（８）を設け、下部に丸棒（９）、スプリング（１０）を有した、下部の半円棒（３）には復数の孔（１１）を有した。
下部の半円棒（３）に、一定の間隔を有した凸部（４）と凹部（５）の下部に、調整ネジ（１４）を有した、構造で平たい球（１）の側面に孔（２）を有し、孔（２）の中に２つの半円棒（３）、（６）を設け、その下部の半円棒（３）は調整ネジ（１４）によって、可動しますが、上部の半円棒（６）はフリーに可動しますので、ナット、又はボルトの頭が大きくても、小さくても一瞬で掴み、平たい球（１）の両側面に設けてある凸起部（７）の中心にある、弓なり（８）を下に押えますと弓なり（８）の下部に設けてある、丸棒（９）が可動し、下部の半円棒（３）に設けてある孔（２）に挿入され、下部の半円棒（３）と上部にある半円棒（６）が一体になり、調整ネジ（１４）によって固定され、ナット、又はボルトが締め付けられ又、微調整するにも調整ネジ（１４）を動かすことによって緩めたり、掴かんだりして、締め付けることができレンチは調整ネジ（１４）によって掴かんだり、緩めたりするので便利で最もよりよくしたのがワンタッチモンキーレンチである、このワンタッチモンキーレンチは上部の半円棒（６）がフリーであるので、ナット、ボルトの頭を掴んだら、片手で、弓なり（８）を指で押えるだけで、丸棒（９）が押えられロックし、締め付けられます。
弓なり（８）の下部は、跳ね（１５）あがっている。
上部の半円棒（６）と下部の半円棒（３）が、一体になり、そして、又フリーにもなり、そして大小のナット、ボルトの頭を掴むことができ、便利なワンタッチモンキーレンチである。
下部の半円棒に孔だけでなく、溝を設けてロックし上部の半円棒が下部の半円棒を一体になり、ナット、ボルトの頭を掴み、締め付け、緩めたりできるワンタッチモンキーレンチである。
【発明の効果】
【０００６】ワンタッチモンキーレンチは、上部の半円棒がフリーに可動するので、非常に便利で、ナット、ボルトの頭が大きくても、小さくても、一瞬のうちに頭を、掴み、締め付けるなり、又は、緩めたりすることのできる便利な工具である。
一瞬のうちに、ナット、ボルトの頭の大小に関係なく、掴み、ロックすることもでき、そして微調整もできます、そしてロックの解除も、簡単にでき、使用しやすい工具である。
製造についても、簡単な構造であるので、製造もしやすく非常に使いやすい良い工具である。
【図面の簡単な説明】
【図１】ワンタッチモンキーレンチの正面図。
【図２】ワンタッチモンキーレンチの側面図。
【図３】ワンタッチモンキーレンチの上部の半円棒がフリーで可動した斜面側面図。
【符号の説明】
平たい球      （１）
孔          （２）
半円棒        （３）
凸部        （４）
凹部        （５）
半円棒        （６）
凸起部        （７）
弓なり        （８）
丸棒        （９）
スプリング  （１０）
孔        （１１）
凸部      （１２）
溝        （１３）
調整ネジ    （１４）
跳ね      （１５）
印        （１６）
【図１】
2009023080.tif 000004
【図２】
2009023080.tif 000005
【図３】
2009023080.tif 000006